(57)【要約】【課題】引き戸クローザ付き引き戸を吊りレールに吊るす際に、ワイヤ経路変更装置が邪魔にならないようにした吊り戸用引き戸クローザを提供する。【解決手段】ワイヤ経路変更装置２００を、ワイヤ４の方向を変える補助ローラ２１０と、補助ローラ２１０を回転可能に取り付ける補助ローラブラケット可動部２２０と、補助ローラブラケット可動部２２０を回転可能に取り付ける補助ローラブラケット固定部２３０と、補助ローラブラケット可動部２２０と補助ローラブラケット固定部２３０との間に常時作用する戻しスプリング２４０とで構成し、吊り戸１００を吊りレール１２０に吊るす際、ワイヤ経路変更装置２００をケースの上面近傍に退避させ、吊るした後、ワイヤ経路変更装置２００をケースの上面から直立状態に上げるようにした。【選択図】図３
2011047198.tif 000002
【特許請求の範囲】
【請求項１】
吊りレールに吊される吊り戸用の引き戸クローザであって、その引き戸クローザケース
の上面にワイヤの経路を変更するためのワイヤ経路変更装置を移動可能に取り付けたこと
を特徴とする吊り戸用引き戸クローザ。
【請求項２】
ケースの上面に透設したワイヤ出口近傍の側面に取付けられ且つ巻胴部をその支軸に回
動可能なように軸着するダンパユニットと、ケースに両面に貫通した穴に回転可能なよ
うに差し込まれたシャフトに巻胴部を回動可能なように軸着するぜんまいユニットと、前
記巻胴部の外周面及びダンパユニットの巻胴部の外周に対しワイヤが外れないような隙
間に設定したワイヤ巻乱れ防止手段とぜんまいユニットの巻胴部にその一方端部を係止し
且つ引き戸を全開するに足る長さを巻胴部の外周面に沿って巻回しながらダンパユニッ
トの巻胴部の外周上に沿って一周以上巻回、又は、ワイヤを受ける部分をＶ溝にし、ワイ
ヤ張力をＶ溝に食い込ませることで張力伝達を有効に働かせて、一周しない範囲で巻回し
て、その他方端部を前記ワイヤ出口から導出されるワイヤとを具備してなり、前記ダンパ
ーユニットと前記ぜんまいユニットが前記ワイヤを介してお互いに独立して回動可能なよ
うに軸支されるとともに、ぜんまいユニットのプーリ幅をワイヤが１段整列できる幅にし
て、且つ、クローザを引き戸に内蔵させるのに、できる限り薄くするためにぜんまいの強
さ調節コックピン径を小さくし、ケース側に受けポチを複数箇所設け、常時１ないし複数
箇所で受けるようにするとともに、ロックピンをぜんまいケースの外に出してしまうと厚
くなってしまうため、ロックピンをぜんまいケースの幅の中に納めてしまうようにした内
蔵タイプ引き戸用クローザにおいて、
前記引き戸クローザとして、請求項１記載の引き戸クローザを用いたことを特徴とする
吊り戸用引き戸クローザ。
【請求項３】
前記ワイヤ経路変更装置は、前記ワイヤを吊りレールの中を通すため前記ワイヤの経路
を変更させるワイヤ経路変更装置を前記ケースの上面に可動できるように取り付け、第１
の可動位置で前記ワイヤ経路変更装置が前記ケースの上面から直立状態に上がって前記ワ
イヤの経路を変更させることができ、第２の可動位置で前記ワイヤ経路変更装置が前記ケ
ースの上面近傍に退避することができることを特徴とする請求項２記載の吊り戸用引き戸
クローザ。
【請求項４】
前記ワイヤ経路変更装置は、ワイヤの方向を変える補助ローラと、前記補助ローラを回
転可能に取り付ける補助ローラブラケット可動部と、前記補助ローラブラケット可動部を
回転可能に取り付ける補助ローラブラケット固定部と、前記補助ローラブラケット可動部
と前記補助ローラブラケット固定部との間に常時作用する戻しスプリングとで構成したこ
とを特徴とする請求項３記載の吊り戸用引き戸クローザ。
【発明の詳細な説明】
【技術分野】
【０００１】
本発明は、建物側の戸枠等に対してスライド可能に設置した引き戸に取付けて、開放後
の引き戸を自動的に閉鎖させる(以下、自閉させる）吊り戸用引き戸クローザに関するもので、特に内蔵タイプの引き戸クローザを吊り戸に簡単に取付けできるようにした吊り戸用引き戸クローザに関する。
【背景技術】
【０００２】
この種の引き戸クローザとしては、本出願人が先に出願した引き戸クローザ（特許文献
１）が知られている。
本発明はこの引き戸クローザを用いることを前提にした発明であるので、まず、先行発
明である特許文献１記載の引き戸クローザについて、簡単に説明をする。
【先行技術文献】
【特許文献】
【０００３】
【特許文献１】特開２００８−１４４４２１号公報
【０００４】
〈特許文献１記載の引き戸クローザの構成〉
図５〜図７は、先行発明の引き戸クローザを説明する図で、図５（Ａ）は引き戸クロー
ザを取付けた引き戸を示す正面図、（Ｂ）は側面図、（Ｃ）は引き戸を開いた状態を示す
正面図、図６は図５の引き戸クローザとワイヤの設置状態を説明する部分拡大正面図、図
７（Ａ）は引き戸クローザを示す平面図、（Ｂ）は正面図である。
図５及び図６において、引き戸クローザ（以下、「クローザ」と略す）２を取付けた引
き戸１には、上面１１に切欠いた埋設空間１３にクローザ２のケーシングを構成する筐体
３が嵌入されて固設されているとともに、下面１２には建物（家屋）側の床面Ｆ上を引き
戸の開閉方向(図５において、開扉方向をα、閉扉方向をβで示す。)に沿って転動するロ
ーラＲを設置している。
また、この引き戸１が建物（家屋）側の上部枠体Ｗに沿って開閉するときの移動動作を
ガイドして引き戸１の転倒を防止するため、引き戸１の上部に対向する上部枠体Ｗには、断面略コ字形（図５（Ｂ）参照）のガイド部材Ｇが固定されている。
【０００５】
《クローザ２の取り付け》
クローザ２は、筐体３の上面３１のみが引き戸１の上面１１から外部に臨む状態で埋設
空間１３に嵌入させてねじ３０Ｂ（図６）で引き戸１に固定されており、筐体３の上面３
１と引き戸１の上面１１（図５）とが略面一（ツライチ）状態で設置されている。
クローザ２は、筐体３の上面３１の開口から引き出されたワイヤ４の先端部分４Ｓが建
物側の上部枠体Ｗ（図６）の戸当りＴ近傍に固定ねじ４Ｎで固定されている。
【０００６】
《クローザ２の内部構成》
さらに、クローザ２は、筐体３の内部に、ワイヤ４とぜんまいユニット５とダンパユニ
ット６とを備えている。
以下、ワイヤ４とぜんまいユニット５とダンパユニット６について図６および図７を用
いて説明する。
【０００７】
《ワイヤ４》
ワイヤ４はワイヤ室５３内に引き出し可能に収納され、その先端部分４Ｓは前述したよ
うに建物側の上部枠体Ｗ（図６）の戸当りＴ近傍に固定ねじ４Ｎで固定されており、ワイ
ヤ４の他端はワイヤプーリ部に固定されている。
【０００８】
《ぜんまいユニット５》
ぜんまいユニット５は、（１）ぜんまい５１を収容したぜんまい室５２と、（２）ワイ
ヤ４を収納するワイヤ室５３と、（３）引き戸１の閉扉速度を調整する調速手段８とを備
えている。
（１）ぜんまい室５２
ぜんまい室５２はぜんまい軸５５を中心にしてぜんまい５１を螺旋状に多数回巻装して
収納するとともにぜんまい５１の最外巻き部分をぜんまい室５２の内壁に固定している。
ぜんまい軸５５は、ぜんまいユニット５及び筐体３に対して回転可能な状態で軸支させて
いるが、調速手段８の調速軸８１と一体をなしており、調速軸８を所望の位置で固定させ
ることでぜんまい軸５５も回転不動の状態に固定される。
（２）ワイヤ室５３
ワイヤ室５３は、ぜんまい室５２の外側に略円環状に形成してあり、ぜんまい室５２と
の壁(第１の境界壁)５７がワイヤプーリを構成しており、引き戸１が閉止したときには多
数のワイヤ４が整列巻きされた状態で巻き取られる。
（３）調速手段８
調速手段８は、引き戸１を最後まで完全に閉じた閉扉状態のときのぜんまい５１の巻き
数を変更して引き戸１の閉扉速度を調整するものであり、ぜんまい室５２の側面と対面（
並設）する調速室５４に設け、ワイヤプーリの幅の中にぜんまい室５２と調速室５４を併
設して納めることにより薄型化することができた。特に、ぜんまい室５２と調速室５４と
の境界を構成する一面の壁(第２の境界壁)５６の厚さを、ぜんまい５１のぜんまい軸５５
寄りの方が螺旋状のぜんまい５１の外周寄りの方よりも厚くなるように形成してある。
これにより、閉扉速度調整のためにロックピン８２を回動させるための「にげ空間」を
確保しており、ロックピン８２が係止部材８３を乗り越えることができる。このようにし
て、クローザ２の薄型化が図られているので、通常の引き戸１に対してもこのクローザ２
を埋設できることとなる。
調速手段８は、ぜんまい５１のぜんまい軸５５と一体になってぜんまい室５２から第２の境界壁５６を貫通して調速室５４に突出する調速軸８１と、調速軸８１の軸方向に直交する方向（つまり、ぜんまい５１の半径方向）に伸びる、ぜんまい室５２内部に設置したロックピン８２と、このロックピン８２を回動させることで、ばね力調整した後のぜんまい５１の巻き状態を固定するために、調速室５４内部の複数個所に設置してロックピン８２を所望の位置で係止させる係止部材８３とを有する。ロックピン８２には、最低限の強度を確保したうえで、筐体３の薄型化のためにできるだけ細径に形成されている。また、このロックピン８２の頭部には、係止溝８２Ａを設けているが、例えば図６に示すように、ぜんまいユニット５、筐体３及び引き戸１正面のそれぞれロックピン８２と対応する位置に、透孔(図６では筐体３の透孔３Ｂのみを示す)を穿設しておけば、引き戸１の外部からマイナスのドライバやコインを係止溝８２Ａに係止させて閉扉速度の調整ができる。
【０００９】
《ダンパユニット６》
ダンパユニット６は、引き戸１が閉じる際にこの閉じ動作に抗したダンパ力をワイヤ４
を介して引き戸１に付与するものであり、ワイヤ４の中間部を複数回にわたって巻装して
おり、（１）薄型円板状の内部空間を有し内部にダンパを収納するダンパ６１と、（２）
ダンパ６１と（同軸状態で）並設し外周面に沿ってワイヤ４が巻装されるダンパプーリ６
２とを備えている。
（１）ダンパ６１
ダンパ６１はダンパ室に充填したダンパオイルと、一方向にのみダンパオイルの油圧抵
抗を受けるダンパブレードとを備えて成る。また、ダンパブレードの中心に設けたダンパ
軸は、ダンパプーリ６２のプーリ軸６３と一体となって延伸し、ダンパユニット６を貫通
して筐体３まで達している。
（２）ダンパプーリ６２
ダンパプーリ６２は、ダンパ側から発生するダンパ力をワイヤ４に伝達させることでゆ
っくりとした閉扉動作を実現するために設置されており、先端と基端との間の中間部分の
ワイヤ４を複数回にわたって整列状態で巻装している。
このダンパプーリ６２のプーリ軸６３は、引き戸１の開扉の際のワイヤ４の引張動作な
どに伴い、プーリ室６４(又は筐体３)内でダンパプーリ６２が偏心動作を発生したときに
、プーリ室６４(又は筐体３)の内壁に衝突せずにダンパプーリ６２の回転を保障するため
に、筐体３の軸孔３２との間に所定のわずかな隙間(但し、図７では殆ど確認できない程度の微細な間隔となっている)を設け、ワイヤ４が急激な力を受けた時は、ダンパプーリ６２の端面が筐体３の軸孔３２で支えられ、両端支持の形で滑りながら回転し、荷重を分散することができる。
【００１０】
〈特許文献１記載の引き戸クローザの長所〉
（１）筐体３の薄型化
このようにクローザ２の薄型化が図られているので、通常の引き戸１に対しても、特に
厚さを増大させずにクローザ２を収容して埋設でき、しかも、ロックピン８２を強度の許
す範囲内においてできるだけ細径にしてぜんまい室５２内部に設置したので、さらに筐体
３の薄型化を図ることができる。
（２）見栄えのよさ
さらに、引き戸１の埋設空間１３にクローザ２を埋設することでクローザ２が隠れて外
部から見えないようにできる。しかも、引き戸１の上部の建物（家屋）側の上部枠体Ｗと
の間の隙間を利用して、上部枠体Ｗとクローザ２との間にワイヤ４を架設しており、上部
枠体Ｗの下面に固設したガイド部材Ｇでワイヤ４を隠して見えないようにできるので、見
栄えのよいクローザ２を提供できる。
【００１１】
〈本発明が適用される引き戸は「吊り戸」である〉
以上の引き戸１は床面をローラＲ（図５）が転動する床上転動式引き戸であったが、本
発明が適用する引き戸は天井側から吊す吊り戸である。吊り戸に内蔵するクローザも上述
の引き戸クローザを同じように用いることができる。
しかしながら、吊り戸に引き戸クローザを取り付けようとすると吊りレールの中にワイ
ヤを通す必要があるので、ガイドピンに差し込んでから吊り戸車をつけるため吊りレール
と引き戸を同時に取り付ける必要があった。
【発明の概要】
【発明が解決しようとする課題】
【００１２】
吊り戸に引き戸クローザを取付ける場合、引き戸クローザのワイヤにとって吊り車が邪
魔になるので、吊り車の上の空間部分にワイヤを通すように引き戸クローザのワイヤ経路
を変更する必要がある。そこでワイヤの経路を変更するための補助ローラを引き戸クロー
ザの上部に取り付け、これを吊りレールの内部に存在させるようにしなければならない。
一方、引き戸を取付ける手順を考慮すると、引き戸に引き戸クローザを取り付けた状態
で吊り車が取付けられるようにしなければ、掘り込みレールへの取り付けができない。引
き戸に引き戸クローザを取り付けた状態で、引き戸の下側ガイド溝をガイドピンに差し込
んでから吊り車を取り付けるため、引き戸を所定の位置に設置するとき引き戸クローザの
上部の補助ローラが吊りレールに当たってしまい取り付けの障害となってしまった。
本発明は、これを解決するためになされたもので、引き戸を所定の位置に設置する際に
引き戸クローザの上部のワイヤ経路変更用の補助ローラが障害とならないようにした吊り
戸用引き戸クローザを提供することを目的とするものである。
【課題を解決するための手段】
【００１３】
上記目的を達成するため、第１発明は、吊りレールに吊される吊り戸用の引き戸クロー
ザであって、その引き戸クローザケースの上面にワイヤの経路を変更するためのワイヤ経
路変更装置を移動可能に取り付けたことを特徴としている。
第２発明は、ケースの上面に透設したワイヤ出口近傍の側面に取付けられ且つ巻胴部を
その支軸に回動可能なように軸着するダンパユニットと、ケースに両面に貫通した穴に
回転可能なように差し込まれたシャフトに巻胴部を回動可能なように軸着するぜんまいユ
ニットと、前記巻胴部の外周面及びダンパユニットの巻胴部の外周に対しワイヤが外れ
ないような隙間に設定したワイヤ巻乱れ防止手段とぜんまいユニットの巻胴部にその一方
端部を係止し且つ引き戸を全開するに足る長さを巻胴部の外周面に沿って巻回しながらダ
ンパーユニットの巻胴部の外周上に沿って一周以上巻回、又は、ワイヤを受ける部分をＶ
溝にし、ワイヤ張力をＶ溝に食い込ませることで張力伝達を有効に働かせて、一周しない
範囲で巻回して、その他方端部を前記ワイヤ出口から導出されるワイヤとを具備してなり
、前記ダンパユニットと前記ぜんまいユニットが前記ワイヤを介してお互いに独立して
回動可能なように軸支されるとともに、ぜんまいユニットのプーリ幅をワイヤが１段整列
できる幅にして、且つ、クローザを引き戸に内蔵させるのに、できる限り薄くするために
ぜんまいの強さ調節コックピン径を小さくし、ケース側に受けポチを複数箇所設け、常時
１ないし複数箇所で受けるようにするとともに、ロックピンをぜんまいケースの外に出し
てしまうと厚くなってしまうため、ロックピンをぜんまいケースの幅の中に納めてしまう
ようにした内蔵タイプ引き戸用クローザにおいて、前記引き戸クローザとして、請求項１
記載の引き戸クローザを用いたことを特徴としている。
第３発明は、前記ワイヤ経路変更装置が前記ワイヤを吊りレールの中を通すため前記ワ
イヤの経路を変更させるワイヤ経路変更装置を前記ケースの上面に可動できるように取り
付け、第１の可動位置で前記ワイヤ経路変更装置が前記ケースの上面から直立状態に上が
って前記ワイヤの経路を変更させることができ、第２の可動位置で前記ワイヤ経路変更装
置が前記ケースの上面近傍に退避することができることを特徴としている。
第４発明は、第３発明の吊り戸用引き戸クローザにおいて、前記ワイヤ経路変更装置が
ワイヤの方向を変える補助ローラと、前記補助ローラを回転可能に取り付ける補助ローラ
ブラケット可動部と、前記補助ローラブラケット可動部を回転可能に取り付ける補助ロー
ラブラケット固定部と、前記補助ローラブラケット可動部と前記補助ローラブラケット固
定部との間に常時作用する戻しスプリングとで構成したことを特徴としている。
【発明の効果】
【００１４】
上記のようにワイヤ経路変更用の補助ローラを可動できるようにすると共に、補助ロー
ラを所定の位置に容易にセットできるようにしたので、引き戸に引き戸クローザを取り付
けた状態で引き戸の下側ガイド溝をガイドピンに差し込んでから吊り車を取り付ける際に
は、引き戸を所定の位置に設置するまでの間、引き戸クローザのワイヤ経路変更用の補助
ローラが吊りレールに当たらない位置まで下げておき、引き戸が所定の位置に設置された
後、ワイヤ経路変更用の補助ローラを所定の位置にセットすることで、引き戸を所定の位
置に設置する際に引き戸クローザの上部のワイヤ経路変更用の補助ローラが障害とならな
くなった。
【図面の簡単な説明】
【００１５】
【図１】図１は引き戸クローザの使用状態を示す説明図である。
【図２】図２は引き戸クローザの収納状態を示す説明図である。
【図３】図３は引き戸クローザの使用状態を示す斜視図である。
【図４】図４は引き戸クローザから引き出されたワイヤの先端部分４Ｓの固定箇所を変更した実施例を示す説明図である。
【図５】図５（Ａ）は先行発明の第１の実施形態に係る引き戸クローザを取付けた引き戸を示す正面図、（Ｂ）は側面図、（Ｃ）は引き戸を開いた状態を示す正面図である。
【図６】図６は図1に示す先行発明のクローザとワイヤの設置状態を示す説明図である。
【図７】図７（Ａ）は先行発明の引き戸クローザを示す平面図、（Ｂ）は正面図である。
【発明を実施するための形態】
【００１６】
〈吊り戸には直立・収納の２状態を取れる経路変更装置がある。〉
図１は引き戸クローザの使用状態を示す説明図である。
図１において引き戸クローザ２は図６および図７で説明したものを用いるので、その構成
・作用・機能については説明を省略する。
引き戸クローザ２の上部開口から引き出されたワイヤ４の先端部分４Ｓを建物側の上部
枠体のコーナーにある固定ねじ４Ｎに直接固定するのは、吊り戸１００の場合には吊り車
１１０が邪魔になるためできない。そこで本発明により図１のようなワイヤ経路変更装置
２００が引き戸クローザ２の上部に取り付けられている。このワイヤ経路変更装置２００
は図１の直立状態（２００（Ａ））と図２の収納状態（２００（Ｂ））の２状態を取れる
ところが本発明の特徴である。そこでこのワイヤ経路変更装置２００について以下に説明
する。
【００１７】
〈ワイヤ経路変更装置２００の構成〉
ワイヤ経路変更装置２００は、ワイヤの方向を変える補助ローラ２１０と、補助ローラ
２１０を回転可能に取り付ける補助ローラブラケット可動部２２０
と、補助ローラブラケット可動部２２０を回転可能に取り付ける補助ローラブラケット固
定部２３０と、補助ローラブラケット可動部２２０を直立状態（２００（Ａ））になるよ
うに常時引張り力を働かせている戻しスプリング２４０とで構成されている。
【００１８】
《補助ローラ２１０》
補助ローラ２１０はその頂部で方向転換したワイヤ４が吊り車１１０と吊りレール１２
０との間の隙間を通ってワイヤ４の先端部分４Ｓが建物側の上部枠体のコーナーの固定ね
じ４Ｎに固定されることができるように補助ローラブラケット可動部２２０に取り付けら
れている。
【００１９】
《補助ローラブラケット可動部２２０》
補助ローラブラケット可動部２２０は上部に補助ローラ２１０を回転可能に取り付け、
下部は補助ローラブラケット固定部２３０にピン２００Ｐを介して回動可能に取り付けら
れ、中央部分には戻しスプリング２４０の一方を係止させている。中央部分にはさらにピ
ン２００Ｐを支点に回動するときの軌跡となる円弧の開口から成るガイド穴２２０Ｈがあ
けられており、このガイド穴２２０Ｈの中を貫通する固定ネジ２２０Ｎが、補助ローラブ
ラケット固定部２３０に取り付けられている。この場合、ガイド穴２２０Ｈの円弧の長さ
と固定ネジ２２０Ｎの取り付け位置との関係はつぎのようになっている。
【００２０】
《固定ネジ２２０Ｎとガイド穴２２０Ｈの位置関係》
ワイヤ経路変更装置２００が図１の直立状態（２００（Ａ））のとき、固定ネジ２２０
Ｎはガイド穴２２０Ｈの円弧の最左部に位置しており、ワイヤ経路変更装置２００が図２
の収納状態（２００（Ｂ））のとき、固定ネジ２２０Ｎはガイド穴２２０Ｈの円弧の最右
部に位置するように、ガイド穴２２０Ｈの円弧の長さが決められており、かつ、固定ネジ
２２０Ｎが補助ローラブラケット固定部２３０に取り付けられている。
固定ネジ２２０Ｎは、補助ローラブラケット固定部２３０に捩じ込まれることにより補
助ローラブラケット可動部２２０をその状態に固定することができ、補助ローラブラケッ
ト固定部２３０から緩めることにより補助ローラブラケット可動部２２０を固定状態から
解放し、したがって戻しスプリング２４０の働きによって図１の直立状態（２００（Ａ）
）にさせられる。
【００２１】
《補助ローラブラケット固定部２３０》
補助ローラブラケット固定部２３０は断面でＬ字状（図１の側面図参照）をしており、
Ｌ字の垂直部２３０Ｖに前述のピン２００Ｐと固定ネジ２２０Ｎを取り付けており、かつ
戻しスプリング２４０の他方を係止させている。Ｌ字の水平部２３０Ｈは引き戸クローザ
２の筐体３の上部にネジ３Ｎで固定されている。
【００２２】
《戻しスプリング２４０》
戻しスプリング２４０は、一方を補助ローラブラケット可動部２２０の中央部分に係止
させ、他方を補助ローラブラケット固定部２３０に係止させて、補助ローラブラケット可
動部２２０を常時、直立状態にする方向に引っ張っている。
【００２３】
〈ワイヤ経路変更装置２００の使用時の動作〉
ワイヤ経路変更装置２００は上記のように引き戸クローザ２の上部には補助ローラブラ
ケット固定部２３０が取付けてあり、補助ローラブラケット固定部２３０には補助ローラ
ブラケット可動部２２０を取付ける『支点』にピン２００Ｐが設けてあり、補助ローラブ
ラケット可動部２２０はピン２００Ｐを中心にして回転できるようになっている。
補助ローラブラケット固定部２３０には補助ローラブラケット可動部２２０を回転した
位置で固定できるように固定ネジ２２０Ｎを取り付けるネジ穴が設けてある。補助ローラ
ブラケット可動部２２０にはピン２００Ｐを中心にして可動したときに、固定ネジ２２０
Ｎのガイド穴２２０Ｈが設けてあり、ガイド穴２２０Ｈの範囲で自由に回転できる。
使用時には固定ネジ２２０Ｎを緩めることで、固定ネジ２２０Ｎが緩められた状態では
、戻しスプリング２４０により補助ローラブラケット可動部２２０はガイド穴２２０Ｈの
最も左側（最下部）に位置する。このときが図１であり、補助ローラ２１０が最上部にあ
る。
【００２４】
〈ワイヤ経路変更装置２００の収納動作〉
ワイヤ経路変更装置２００の収納動作は、吊り戸１００に引き戸クローザ２を取り付け
る際につぎのようにして行われる。
補助ローラブラケット可動部２２０の固定ネジ２２０Ｎを緩めて、補助ローラブラケッ
ト可動部２２０を戻しスプリング２４０に抗して最下位置（図２のように左回転した状態
）にまで回動させて固定ネジ２２０Ｎを締めて固定する。
【００２５】
〈吊り戸１００を吊り車に吊るす作業〉
１）このようにワイヤ経路変更装置２００を収納した状態で吊り戸１００を斜めにして
吊り戸１００の下部の溝をガイドピン（図２の側面図）に挿（さ）す。
２）その後、吊り戸１００を矢印Ｆ（図２の側面図）の方向に起こして最終的に垂直に
立てる。
３）この状態で吊り車（左）１１０を取り付ける。
４）その後、補助ローラブラケット可動部２２０の固定ネジ２２０Ｎを緩めると、戻し
スプリング２４０によって補助ローラブラケット可動部２２０は自動的に起き上がり補助
ローラ２１０が吊りレール１２０の中にセットされる。
５）次に、固定ネジ２２０Ｎを締めれば補助ローラブラケット可動部２２０は所定の位
置で保持される（図３参照）。
６）吊り戸１００を立て、ワイヤ先端部４Ｓを吊りレール１２０の固定ねじ４Ｎに固定
する。
８）最後に吊り戸１００を１０ｃｍ開いて確実に閉まる位置まで引き力調整シャフトを
回して調整する。
【００２６】
《ワイヤの先端部分４Ｓの固定箇所の変更》
なお、これまでの実施例では、ワイヤ４はその先端部分４Ｓが建物側の上部枠体の戸当
り近傍に固定ねじ４Ｎで固定する例で示したが、図４で示すように、吊り車１１０を右端
に置いて、吊り車１１０の内側にワイヤ先端部分４Ｓを固定ネジ４Ｎで止めれば、吊り車
１１０の上にワイヤ４をくぐらせる作業を省略することができる。
【００２７】
以上、本発明によれば、ワイヤ経路変更用の補助ローラ２１０を可動できるようにする
と共に、補助ローラ２１０を所定の位置に容易にセットできるようにしたので、引き戸１
００を所定の位置に設置するまでの間、補助ローラ２１０が吊りレール１２０に当たらな
い位置まで下げておき、吊り戸１００が所定の位置に設置された後、補助ローラ２１０を
所定の位置にセットすることで、吊り戸１００を所定の位置に設置する際に補助ローラ２
１０が障害とならなくなり、クローザ付き吊り戸１００をスムーズに吊りレール１２０に
吊るすことができるようになった。                     
【符号の説明】
【００２８】
２  引き戸クローザ
３  筐体
３Ｎ  ネジ
４  ワイヤ
４Ｎ  固定ねじ
４Ｓ  ワイヤ先端部
１００  吊り戸
１１０  吊り車
１２０  吊りレール
２００  ワイヤ経路変更装置
２００（Ａ）  直立状態
２００（Ｂ）  収納状態
２００Ｐ  ピン
２１０  補助ローラ
２２０  補助ローラブラケット可動部
２２０Ｈ  ガイド穴
２２０Ｎ  固定ネジ
２３０  補助ローラブラケット固定部
２３０Ｈ  Ｌ字水平部
２３０Ｖ  Ｌ字垂直部
２４０  戻しスプリング
【図１】
2011047198.tif 000003
【図２】
2011047198.tif 000004
【図３】
2011047198.tif 000005
【図４】
2011047198.tif 000006
【図５】
2011047198.tif 000007
【図６】
2011047198.tif 000008
【図７】
2011047198.tif 000009